(57)【要約】【課題】壁面に取付ける物品を迅速正確に水平取付けができ、また、水平レベル出しを一人ですることのできる水平レベルシートを提供すること。【解決手段】透明もしくは半透明の前面シートにチューブ状空間を設け後面シートと密着させて成る空間に少量の気泡を有する液体を封入し、水平を確認するための基準線を備えたことにより構成される水平レベルシートである。水平レベルシートの裏面には粘着テープを貼り付けることができ、また、気泡管となるチューブ状空間は湾曲形状とすることができる。【選択図】  図１
2015121532.tif 000002
【特許請求の範囲】
【請求項１】
透明もしくは半透明の前面シートにチューブ状空間を設け後面シートと密着させて成る空間に少量の気泡を有する液体を封入し、水平を確認するための基準線を備えたことを特徴とする水平レベルシート
【請求項２】
前記の水平レベルシートの裏面に粘着テープを貼り付けたことを特徴とする請求項１に記載した水平レベルシート
【請求項３】
前記の水平レベルシートにおいて、前記のチューブ状空間は前記の水平レベルシートの平面を基準にして湾曲させて成ることを特徴とする請求項１または請求項２に記載した水平レベルシート
【請求項４】
チューブ状空間を設けた前面シートを０．１〜５ｍｍ厚みの樹脂製シートから温度６０〜２５０℃の加熱成型で製作する工程と、前記前面シートと０．０５〜５ｍｍ厚みの後面シートを貼り合わせ接着もしくは溶着する工程と、前記前面シートもしくは前記後面シートにあけた孔から少量の気泡を有する液体を封入した後孔を塞いで成る工程とからなることを特徴とする水平レベルシートの製造方法
【請求項５】
前請求項に記載した水平レベルシートの製造方法において、水平レベルシートが縦横複数個並んで製作され、各個の水平レベルシート間にミシン目等を穿ち前記各個の水平レベルシート同士切り離して使用することのできるように製作する工程を含むことを特徴とする請求項４に記載した水平レベルシートの製造方法
【発明の詳細な説明】
【技術分野】
【０００１】
本発明は水平レベルシートおよび水平レベルシートの製造方法に関する。
【背景技術】
【０００２】
水準器は、多くは建設業界や測量業界で使用され、ガラス管製の気泡管を組付けた水準器やレーザー光を利用した水準器などがある。従来の係る水準器は平面上に置いてその面が完全に水平かどうかを確認したり、柱に沿わせて垂直を確認するような使い方に適合する形状であった。
【先行技術文献】
【非特許文献】
【０００３】
【非特許文献１】市販の水準器
【発明の概要】
【発明が解決しようとする課題】
【０００４】
水準器によるレベル出しを伴う作業を行う場合、例えば、壁に額縁を掛ける、或いは柱時計を取り付けるような場合、レベル出しを正確に行い物品が水平又は垂直になる様取り付ける為には、別の人に傾斜しているかどうかを見て貰って修正していた。ポスターやカレンダーなどを傾斜しないように壁に貼り付ける場合でも、貼り付ける人が一人の時は仮止めして遠く離れて水平を確認したり他の人に見て貰わなければならない。このような場合に従来の水準器を使うのは面倒であり、ポスターなど紙１枚では水準器を載せられないという課題が存在し、従来の水準器では容易に解決のできないものであった。
【課題を解決するための手段】
【０００５】
上記の課題を解決するため鋭意検討し、本発明の水平レベルシートを次のように完成した。すなわち、本発明の第１態様としては、透明もしくは半透明の前面シートにチューブ状空間を設け後面シートと密着させて成る空間に少量の気泡を有する液体を封入し、水平を確認するための基準線を備えたことを特徴とする水平レベルシートである。
本発明の水平レベルシートを構成する前面シートおよび後面シートは、樹脂製シートから成り、ポリエチレン、ポリ塩化ビニル、アクリル樹脂、ＰＥＴ樹脂などの透明樹脂、若しくは、前記樹脂に添加剤が配合／非配合により半透明となった樹脂が使用される。
【０００６】
本発明の水平レベルシートの表面に基準線を設け目盛線、説明書きなどを印刷することができる。また、シートの裏面に粘着テープを貼り付けることができ、粘着テープを介してマグネットシートを設けることもできる。
【０００７】
水平レベルシートの製造方法としては、チューブ状空間を設けた前面シートを樹脂製シートから加熱成型で製作する工程と、前記前面シートと後面シートを貼り合わせ接着もしくは溶着する工程と、前記前面シートもしくは前記後面シートにあけた孔から少量の気泡を有する液体を封入した後孔を塞いで成る工程とからなること特徴とする製造方法である。
【０００８】
ここで、前面シートを製造する樹脂製シートの厚みは０．１〜５ｍｍ、後面シートを製造する樹脂製シートの厚みは０．０５〜５ｍｍとすることが望ましく、また、加熱成型する温度は６０〜２５０℃とすることが望ましい。接着もしくは溶着する工程に使用する接着剤は、合成樹脂系接着剤、水系接着剤、２液硬化型、瞬間接着剤など使用する樹脂製シートに合せて選択され用いられる。封入される少量の気泡を有する液体については、水、アルコール類、油脂類およびこの混合物が用いられる。
【０００９】
本発明の他の態様として、水平レベルシートについて気泡管部を水平レベルシートの平面を基準にして緩く湾曲させることができる。湾曲の気泡管を構成するため前面シートを加熱成型するとき雄型の湾曲した金属性丸棒を約４５度起こした状態で成型すればよく、水平面をＸ面、Ｘ面と９０度の面をＹ面とした時気泡管はＸ面とＹ面と両方に膨らんでいる水平レベルシートとすることができる。
【００１０】
また、本発明の水平レベルシートは、水平レベルシートの製作を複数個取りで一シートとして製作し、得られた水準器が複数個並んだ水平レベルシートを、各水準器間でミシン目等を穿ち、水平レベルシート同士切り離して使用することができる。
【発明の効果】
【００１１】
本発明の水平レベルシートは、一人で水平レベル出し作業をすることができ、それも短時間で終えることができることに大きな利点をもつ。水平レベル出し作業に対して極めて使い勝手が良く、対象物品のどこにでも貼付け取り付けることができ何時でも便利に水平レベルを把握することができる。水平レベルシートには基準線も明示されているので、水平レベル把握の正確さは、従来の水準器に劣ることはない。しかも、小型、軽量にも供されることができるので、取り付けた後の対象物の機能を害したり、他作業を邪魔するようなことはない。
【図面の簡単な説明】
【００１２】
【図１】本発明の水平レベルシート
【図２】曲管型の水平レベルシートの前面シート
【図３】曲管型の水平レベルシートの後面シート  …表面に目盛線等を印刷
【図４】凸円形の水平レベルシート
【図５】円筒形の水平レベルシート
【図６】水平レベルシートを数個同時に成型組立し、ミシン目を入れて          容易に切り離す事が出来るようにした商品化の一例。
【図７】同じく円筒形気泡水準器を数個同時に成型した商品化の一例。
【図８】水平に壁に掛けたい掛時計
【発明を実施するための形態】
【００１３】
本発明の水平レベルシートを図にしたがって説明する。図１は、曲管型の水平レベルシートを示す。 曲管型の水平レベルシート（１０）は、前面シート（２）、チューブ状の空間（１）、後面シート（３）により構成される。水平レベルシートには目盛線を兼用した基準線（４）や説明表示が設けられる。また、上下端、中間の基準線（５,６）が設けられ、被取付け物品（図示なし）の基準線と合わせることにより水平垂直レベル出しをすることができる。また裏面には粘着テープが取り付けられている。
【００１４】
図２は水平レベルシートのチューブ状の空間を設けた前面シート、図３は表面に説明表示や基準線を印刷した後面シートを示す。
【００１５】
上記の曲管型の水平レベルシートは次のように製作する。すなわち、両端を円形に整形し半径２０〜３００ｍｍの曲率に湾曲した金属製丸棒を雄型として、透明で平らな樹脂製シートを加熱し半円形の凹みが出来るように成型する。この時、湾曲した金属製丸棒を水平に置くのではなく約４５度起こした状態で固定し成型することにより、チューブ状の空間を設けた前面シートを製作する。
【００１６】
図４は凸円形の水平レベルシートを示す。 凸円形の水平レベルシートは水平面専用である。構造的に外形寸法を極めて小さく製作することができるから何処にでも貼り付けられる。例えば、電気ドリルで垂直に孔をあけたい時、ドリルを垂直に保持することは難しく熟練を要するので、電気ドリルの然るべき所に凸円形の水平レベルシートを貼り付けておけば容易にドリルの垂直を保つことができる。 
【００１７】
図５は円筒形の水平レベルシートを示す。気泡型の水準器は気泡管の曲率半径が大きいほど水平検出精度が向上する。前記した凸円形の水平レベルシートの気泡管は半球形なので曲率半径が小さく精度があまりよくない。気泡管を円筒形にした円筒形の水平レベルシートは曲率半径を任意に大きくできるから精度も向上する。
【００１８】
水平レベルシートは、額縁、掛時計など壁面に取り付ける物品を水平に取り付ける場合容易にこれら物品を水平に取り付けられるための水準器である。図８に、掛時計に曲管型の水平レベルシートを取り付けた例を示すが、このような被取付け物品の下端或いは物品の中に印刷された横線などに水平レベルシートの基準線（５，６）とを合わせて貼り付けて使う。花瓶、彫刻など置物を載せる台の水平を確認したいようなとき、曲管型の水平レベルシートの気泡管（９）はＸ面とＹ面と両方に膨らんでいるから従来の気泡管水準器と同様に、この曲管型の水平レベルシートを台の上に置くだけで水平が確認できる。
【実施例１】
【００１９】
本発明の水平レベルシートの実施例を製造方法を含めて具体的に説明する。両端を円形に整形し半径１００ｍｍの曲率に湾曲した直径５ｍｍ、長さ３０ｍｍの金属製丸棒を雄型として、透明で平らな厚み１ｍｍのポリ塩化ビニル製シートを加熱し半円形の凹みが出来るように成型する。この時、湾曲した金属製丸棒を水平に置くのではなく４５度起こした状態で固定し成型することにより、チューブ状空間を設けた前面シートを製作する。
【００２０】
次いで、気泡の位置を確認する目盛線と基準線を印刷した外形が同じ平らな厚み０．５ｍｍのポリ塩化ビニル製の後面シートを用意し、この後面シートに液体注入用の小孔を端部にあけ、上記前面シートと上記後面シートとを市販の塩ビ用接着剤で接着しチューブ状空間を設けたシートを構成する。エチルアルコールを小孔から注入し少量の気泡を残存させて孔を塞ぎ、曲管型の水平レベルシートが完成する。
【実施例２】
【００２１】
図６，図７は、水平レベルシートを数個同時に成型組付けし、ミシン目（９）を入れて容易に切り離すことが出来るようにした商品化の一例である。図６は、図１の曲管型の水平レベルシートが、図７は、図５の円筒形の水平レベルシートが、シートに複数個並びミシン目が付されている。
【実施例３】
【００２２】
図８は、掛時計に図１の曲管型の水平レベルシートを取り付けた実施例の一つを示す。このように掛時計を壁に取り付ける場合、本発明の水平レベルシートを時計の下部の水平の位置に基準線を合わせて貼り付けると、容易にこの掛時計を水平に取り付けることができ、即座に一人で水平レベル出しができる。壁掛けカレンダー等の場合でも、水平レベルが阻害されている時の見苦しさが水平レベルシートを取り付けることにより解消され、場合によっては、水平レベルシートに装飾を施し装飾品としての見た目の利点も発揮することができる。
【産業上の利用可能性】
【００２３】
本発明による水平レベルシートはガラス管の加工や取付台などを必要としないから、極めて安い価格で製造できるので、従来品に比して低廉な販売価格で消費者に提供される。
【符号の説明】
【００２４】
１     空間
１‘   気泡管
２     前面シート
３     後面シート
３‘   粘着テープ
４     基準線（目盛線を兼用）
５     上端と下端の基準線
６     中間の基準線
７     液体注入用小孔
８     説明表示（型式名と曲率半径）
１０   水平レベルシート
【図１】
2015121532.tif 000003
【図２】
2015121532.tif 000004
【図３】
2015121532.tif 000005
【図４】
2015121532.tif 000006
【図５】
2015121532.tif 000007
【図６】
2015121532.tif 000008
【図７】
2015121532.tif 000009
【図８】
2015121532.tif 000010